(57)【特許請求の範囲】
【請求項１】
画像データに基づいて、画素毎の表示素子に流れる電流を制御して画像表示を行う表示装置において、
有機ＥＬ素子を含む画素を複数有するアクティブマトリクス有機ＥＬ表示パネルと、
各画素の画像データと、画像データとは別のコントラスト設定値と、画像データとは別のブライトネス設定値と、を受信する受信手段と、
入力されてくるコントラスト設定値、ブライトネス設定値、画像データに応じて、画像データと表示素子に流れる電流値の関係を設定する表示設定手段と、
前記画像データに基づいて、表示パネルの表示を行う場合に全画素に流れるパネル電流を予測する予測手段と、
この予測手段により予測したパネル電流に基づき、前記コントラスト設定値または前記ブライトネス設定値を補正することにより、実際のパネル電流が所定の最大値を超えないように実際のパネル電流を制御する電流制御手段と、
を有し、
前記予測手段により予測されたパネル電流が所定の設定値を超えない場合は、前記電流抑制手段によるコントラストまたはブライトネスの補正を行わなく、
前記電流制御手段は、前記予測手段により予測されたパネル電流が前記設定値を超える場合には、予測したパネル電流が最大パネル電流となった時に実際のパネル電流が最大パネル電流に一致するように、コントラストまたはブライトネスを補正し、
前記表示設定手段は、
前記画像データと前記電流制御手段により補正されたコントラスト設定値を乗算する乗算器と、
前記電流制御手段により補正されたブライトネス設定値と前記乗算器の出力を加算しガンマ補正入力データを生成する加算器と、
前記ガンマ補正入力データと前記有機ＥＬパネルのパネル電流が線形の関係になるように
前記ガンマ補正入力データを補正するガンマ補正手段と、
を有し、
前記電流制御手段は、下式に基づきコントラストを制御することを特徴とする表示装置。
Ｃ’＝Ｃ−（Ｃ＋Ｂ／（ｋ・Ｌｗ０）−ａ）
・（Ｉｃａｌ−Ｉｃａｌｘ）／（Ｉｍａｘ−Ｉｃａｌｘ）
ここで、Ｃ：コントラスト設定値、Ｂ：ブライトネス設定値、Ｌｗ０：初期設定時（Ｃ＝１、Ｂ＝０）の最大輝度、ａ：全面白を表示し、パネルの電流がＩｍａｘとなる時の輝度／Ｌｗ０、Ｉｃａｌ：画像データ値から予測されたパネル電流、Ｉｍａｘ：パネルに流す最大電流、Ｉｃａｌｘ：最大輝度が低下し始める点に於けるＩｃａｌの値（任意に設定可能）、ｋ：（ガンマ補正入力データ）／（補正されたガンマ補正入力データに対応する発光をした場合の１つの画素の輝度）、Ｃ’：補正されたコントラスト設定値である。
【請求項２】
請求項１に記載の装置において、
各画素において、輝度は有機ＥＬ素子に流れる電流に比例し、
前記予測手段は、下式に基づきパネル電流を制御することを特徴とする表示装置。
Ｉ＝Ｒｆｒａｍｅ／Ｅｒ＋Ｇｆｒａｍｅ／Ｅｇ＋Ｂｆｒａｍｅ／Ｅｂ
ここで、Ｒｆｒａｍｅ：１フレーム分のＲ画素のデータの総和、Ｇｆｒａｍｅ：１フレーム分のＧ画素のデータの総和、Ｂｆｒａｍｅ：１フレーム分のＢ画素のデータの総和、Ｅｒ：（所定の画素データによる１つのＲ画素の輝度）／（前記所定の画素データにより前記Ｒ画素に流れる電流）、Ｅｇ：（所定の画素データによる１つのＧ画素の輝度）／（前記所定の画素データにより前記Ｇ画素に流れる電流）、Ｅｂ：（所定の画素データによる１つのＢ画素の輝度）／（前記所定の画素データにより前記Ｂ画素に流れる電流）である。
【請求項３】
請求項１または２に記載の装置において、
前記予測手段は、１フレームまたは数フレームの画像データの総和または平均に基づいて、全電流を予測することを特徴とする表示装置。
【請求項４】
請求項１〜３のいずれか１つに記載の装置において、
前記受信手段は、ＣＰＵまたはユーザ入力手段を有することを特徴とする表示装置。
【発明の詳細な説明】
【０００１】
【発明の属する技術分野】
表示装置のコントラストおよびブライトネス調整の方法に関する。
【０００２】
【従来の技術】
図1に、アクティブ型のＯＬＥＤ表示装置の画素回路の一例を示す。画素駆動用のｐチャンネルＴＦＴ１のソースは、電源ＰＶｄｄに接続され、ドレインはＯＬＥＤ（有機ＥＬ）素子３のアノードに接続されている。また、ＯＬＥＤ素子のカソードは、低電圧電源ＣＶに接続されている。
【０００３】
ＴＦＴ１のゲートは、補助容量Ｃを介し補助容量電源Ｖｓｃに接続されているとともに、選択用のｎチャンネルＴＦＴ２を介し画素データ（輝度データ）に基づく電圧が供給されるデータラインＤａｔａに接続されている。そして、ＴＦＴ２のゲートは、水平方向に伸びるゲートラインＧａｔｅに接続されている。
【０００４】
表示の際には、ゲートラインをＨとして、対応する行のＴＦＴ２がオンされる。この状態でデータラインＤａｔａに画素データが供給され、これが補助容量Ｃに充電される。そこで、画素データに応じた電圧でＴＦＴ１が駆動され、その電流がＯＬＥＤ素子３に流れる。
【０００５】
ここで、ＯＬＥＤ素子３の発光量と電流はほぼ比例関係にあるが、ＴＦＴ１は、ゲート−ＰＶｄｄ間の電位差がＶｇｓを所定のしきい値電圧Ｖｔｈを超えることで流れ始める。そこで、データラインＤａｔａに供給する画素データには、画像の黒レベル付近でドレイン電流が流れ始めるように電圧（Ｖｔｈ）を加算する。また、画像信号の振幅としては、白レベル付近で所定の輝度となるような振幅を与える。
【０００６】
図２は、入力電圧（Ｖｇｓ）と、ＯＬＥＤ素子３の輝度および電流ｉｃｖの関係の一例である。このように、ＯＬＥＤ素子３は、電圧Ｖｔｈで発光し始め、白レベルの入力電圧Ｖｗにおいて、白レベルの発光となるように設定されている。
【０００７】
ここで、上述のように、ＯＬＥＤ素子３の発光輝度は素子に流す電流に比例するため、パネルを駆動するには全面最大輝度の画像を表示した時に必要な電流が流せるだけの電源が必要となる。従って、通常使用状態で必要な電源容量に比べ、かなり余裕を持った電源が必要となる。
【０００８】
一方、デジタルカメラやビデオカメラ用の、主に自然画を表示するための表示装置では、画像データの平均レベルは通常２５％程度であり、電源の最大電流を使用することはあまりない。
【０００９】
一方、画質の向上や省電力化などを目的に、画像のフレーム単位のヒストグラムや平均輝度を計算し、その結果に基づいてパネルの駆動データを作成する方法がいくつか提案されている（特許文献１、２）。
【００１０】
【特許文献１】
特開平７−３２２１７９号公報
【特許文献２】
特開２００２−１１６７３２公報
【００１１】
【発明が解決しようとする課題】
ここで、コントラストやブライトネス調整付きの表示装置では、それらが最大値に調整されることを前提に電源部の容量を決定しなければならない。従って、電源部の容量がかなり大きなものになるという問題があった。
【００１２】
【課題を解決するための手段】
本発明は、画像データに基づいて、画素毎の表示素子に流れる電流を制御して画像表示を行う表示装置において、有機ＥＬ素子を含む画素を複数有するアクティブマトリクス有機ＥＬ表示パネルと、各画素の画像データと、画像データとは別のコントラスト設定値と、画像データとは別のブライトネス設定値と、を受信する受信手段と、入力されてくるコントラスト設定値、ブライトネス設定値、画像データに応じて、画像データと表示素子に流れる電流値の関係を設定する表示設定手段と、前記画像データに基づいて、表示パネルの表示を行う場合に全画素に流れるパネル電流を予測する予測手段と、この予測手段により予測したパネル電流に基づき、前記コントラスト設定値または前記ブライトネス設定値を補正することにより、実際のパネル電流が所定の最大値を超えないように実際のパネル電流を制御する電流制御手段と、を有し、前記予測手段により予測されたパネル電流が所定の設定値を超えない場合は、前記電流抑制手段によるコントラストまたはブライトネスの補正を行わなく、前記電流制御手段は、前記予測手段により予測されたパネル電流が前記設定値を超える場合には、予測したパネル電流が最大パネル電流となった時に実際のパネル電流が最大パネル電流に一致するように、コントラストまたはブライトネスを補正し、前記表示設定手段は、前記画像データと前記電流制御手段により補正されたコントラスト設定値を乗算する乗算器と、前記電流制御手段により補正されたブライトネス設定値と前記乗算器の出力を加算しガンマ補正入力データを生成する加算器と、前記ガンマ補正入力データと前記有機ＥＬパネルのパネル電流が線形の関係になるように前記ガンマ補正入力データを補正するガンマ補正手段と、を有し、前記電流制御手段は、下式に基づきコントラストを制御することを特徴とする表示装置。
Ｃ’＝Ｃ−（Ｃ＋Ｂ／（ｋ・Ｌｗ０）−ａ）
・（Ｉｃａｌ−Ｉｃａｌｘ）／（Ｉｍａｘ−Ｉｃａｌｘ）
ここで、Ｃ：コントラスト設定値、Ｂ：ブライトネス設定値、Ｌｗ０：初期設定時（Ｃ＝１、Ｂ＝０）の最大輝度、ａ：全面白を表示し、パネルの電流がＩｍａｘとなる時の輝度／Ｌｗ０、Ｉｃａｌ：画像データ値から予測されたパネル電流、Ｉｍａｘ：パネルに流す最大電流、Ｉｃａｌｘ：最大輝度が低下し始める点に於けるＩｃａｌの値（任意に設定可能）、ｋ：（ガンマ補正入力データ）／（補正されたガンマ補正入力データに対応する発光をした場合の１つの画素の輝度）、Ｃ’：補正されたコントラスト設定値である。
【００１３】
このように、本発明によれば、設定されたコントラストまたはブライトネスを予測されたパネル電流に基づき補正する。これによって、パネル電流を所定値以下に抑制することができる。
【００１６】
このようにして、予測されるパネル電流が小さい場合には、コントラストまたはブライトネスを設定通りとし、かつ実際のパネル電流を最大パネル電流以下に抑制することができる。
【００１８】
工場において、実際の消費電流を検出して、この係数の最適値を検査しこれを記憶しておけば、パネル毎に効率のバラツキがあっても、表示装置毎に最大消費電流がばらつくことを抑制することができる。
【００２１】
また、  各画素において、輝度は有機ＥＬ素子に流れる電流に比例し、前記予測手段は、下式に基づきパネル電流を予測することが好適である。
【００２２】
Ｉ＝Ｒｆｒａｍｅ／Ｅｒ＋Ｇｆｒａｍｅ／Ｅｇ＋Ｂｆｒａｍｅ／Ｅｂ
ここで、Ｒｆｒａｍｅ：１フレーム分のＲ画素のデータの総和、Ｇｆｒａｍｅ：１フレーム分のＧ画素のデータの総和、Ｂｆｒａｍｅ：１フレーム分のＢ画素のデータの総和、Ｅｒ：（所定の画素データによる１つのＲ画素の輝度）／（前記所定の画素データにより前記Ｒ画素に流れる電流）、Ｅｇ：（所定の画素データによる１つのＧ画素の輝度）／（前記所定の画素データにより前記Ｇ画素に流れる電流）、Ｅｂ：（所定の画素データによる１つのＢ画素の輝度）／（前記所定の画素データにより前記Ｂ画素に流れる電流）である。
【００２３】
また、前記予測手段は、１フレームまたは数フレームの画像データの総和または平均に基づいて、全電流を予測することが好適である。
【００２４】
また、前記受信手段は、ＣＰＵまたはユーザ入力手段を有することが好適である。
【００２５】
【発明の実施の形態】
以下、本発明の実施形態について、図面に基づいて説明する。
【００２６】
コントラストやブライトネスを上昇させた場合に、パネルに流れる電流が多くなる領域ではコントラストやブライトネスの上昇を押さえ、パネルに流れる最大電流が設定した値を越えないようにする。
【００２７】
図３は、実施形態の構成を示すブロック図である。映像信号が外部から入力されてくる。この映像信号は、例えばＲＧＢ３色別の輝度信号であり、デジタルデータである。この映像信号は、乗算器１０に入力され、ここで、コントラストＣ’が乗算され、コントラスト調整がなされる。乗算器１０の出力は、加算器１２に入力され、ここでブライトネスＢ’が加算される。加算器１２の出力は、ガンマ補正回路１４に入力され、ガンマ補正が施された後、Ｄ／Ａ変換器１６でアナログ信号に変換されてＯＬＥＤパネル１８に供給される。なお、ガンマ補正回路１４はその入力データとＯＬＥＤパネル１８の電流の関係がリニアになるように補正を行う。
【００２８】
ＯＬＥＤパネル１８は、図１に示したような画素回路がマトリクス状に配置されて形成されている。そして、水平方向にゲートラインＧａｔｅ、垂直方向にデータラインＤａｔａおよび電源ＰＶｄｄに接続された電源ラインが配置されている。また、ゲートラインＧａｔｅおよびデータラインＤａｔａは、画素回路が配置された表示領域の周辺に設けられた垂直、水平のドライブ回路によって、映像信号から得られた画素毎の画像データが各画素に供給されるように制御される。
【００２９】
本実施形態では、映像信号は、パネル電流演算ブロック２０に供給される。このパネル電流演算ブロック２０では、ＯＬＥＤパネル１８を駆動する画像の1フレームまたは数フレームのデータから、ＯＬＥＤパネル１８の全画素に流れる電流の総和であるパネル電流Ｉｃａｌを求める。なお、パネル電流Ｉｃａｌとしては、１フレーム分の総和に代え、１フレーム分の平均値としたり、数フレームの総和や平均値を採用してもよい。
【００３０】
そして、このパネル電流演算ブロック２０において得られたパネル電流Ｉｃａｌは、コントラスト／ブライトネス係数補正回路２２に供給される。このコントラスト／ブライトネス係数補正回路２２は、ユーザの入力によるコントラスト（Ｃ）およびブライトネス（Ｂ）の設定値を、映像信号から算出されたパネル電流Ｉｃａｌに基づき補正し、補正されたコントラスト係数Ｃ’を乗算器１０に供給し、補正されたブライトネス係数Ｂ’を加算器１２に供給される。従って、ガンマ補正回路１４に供給される映像信号は、補正されたコントラスト係数Ｃ’およびブライトネス係数Ｂ’により、コントラスト、ブライトネスが調整されたものになっている。
【００３１】
ここで、このコントラスト係数Ｃ’およびブライトネス係数Ｂ’について、説明する。
【００３２】
アクティブマトリックス型のＯＬＥＤパネル１８では、各画素のデータは、通常画素駆動用ＴＦＴのゲートに付加されているキャパシタ（補助容量）により１フレーム期間保持されている。従って、画像データに対して画素に流れる電流が比例関係にある場合、ある時点でのＯＬＥＤパネル１８の画素部の総電流はその時点から1フレーム前までに入力された１フレーム分の画像データの総和と比例関係にある。この比例定数を予め測定しておくことにより、フレーム単位での画素部の総電流（パネル電流Ical）は画像データから演算できる。
【００３３】
ここで、演算されるパネル電流Icalは、コントラストＣ、ブライトネスＢの設定がＣ＝１、Ｂ＝０として計算した値である。
【００３４】
図３において、ガンマ補正回路１６の入力データ値とパネル電流との関係がリニアであるとすれば、Ｃ’＝１，Ｂ’＝０の時、ＯＬＥＤパネル１８の全画素に流れるパネル電流（Ical）と１フレーム分の画素のデータの総和（Dframe）との関係は以下の式で求まる。
【００３５】
Ical＝Dframe／(k・E)
ここで、ｋ：ガンマ補正入力データ／輝度、E：輝度／１画素に流れる電流である。
【００３６】
このようにして求めたパネルの電流（Ical）と、実際のパネル電流（Ｉ）との関係を図４（ａ）に、また、この時のパネルに流れる総電流と表示される画像の最大輝度との関係を図４（ｂ）に示す。この図において、各グラフはｍ：Ｃ＝１，Ｂ＝０（初期設定）、ｎ：Ｃ＞１，Ｂ＝０、ｏ：Ｃ＞１，Ｂ＝０、ｐ：Ｃ＞１，Ｂ＞０、ｑ：Ｃ＞１，Ｂ＜０という設定の時の例である。
【００３７】
このように、初期設定であるＣ＝１，Ｂ＝０であれば、直線ｍで示すように、画像データに応じて計算されるパネル電流Icalに応じて直線的に実際に流れるパネル電流Ｉが増加する。また、特性ｎ，ｏでは、Ｂ＝０であり、原点を通るが、ｏの場合の方がＣの値が大きいため、傾きが大きい。さらに、特性ｐ，ｑでは、Ｂの値によって特性全体がシフトしている。
【００３８】
また、図４（ｂ）に示すように、パネル電流Ｉが所定以上になる点より、画素の最大輝度に限定をかける。従って、コントラストＣ’が小さくなり、図４（ａ）に示すように、計算により得たパネル電流Icalに対する実際のパネル電流Ｉの上昇率が減少する。
【００３９】
デジタルカメラやビデオカメラで撮影された自然画像は自動露出などの効果により、平均画像レベルは、特殊な場合を除いて５０％以下になっている。従って、平均レベルがある値以上の画像、すなわち消費電流がある値以上になる画像に対してコントラスト調整の上昇率を低下させても、多くの画像に対しては影響がない。
【００４０】
図５に、コントラスト／ブライトネス係数補正回路２２の構成を示す。コントラスト／ブライトネス係数補正回路２２は、Ical＞Icalx判定部２２ａと、コントラスト演算部２２ｂと、スイッチ２２ｃとから構成されている。また、コントラスト設定値Ｃ、ブライトネス設定値Ｂは、各種動作を制御するＣＰＵ２４から供給される。
【００４１】
パネル電流演算ブロック２０からの映像信号から計算されたパネル電流Icalは、Ical＞Icalx判定部において、Icalxと比較される。また、Icalは、コントラストＣと、ブライトネスＢと共に、コントラスト演算部２２ｂに供給され、ここで補正されたコントラストC'0が演算算出される。スイッチ２２ｃには、コントラストＣと、補正されたコントラストC'0が入力され、Ical＞Icalx判定部２２ａの判定結果によって、Ical≦Icalxの時には、Ｃが選択され、Ical＞Icalxの時にはC'0が選択される。
【００４２】
このように、コントラスト／ブライトネス係数補正回路２２においては、パネル電流が予め設定された所定値Icalx以下では、入力されてくるコントラストＣ、ブライトネスＢをそのまま乗算器１０、加算器１２に供給される。従って、設定通りの輝度での表示が行われる。
【００４３】
一方、Ical＞Icalxの時にはC'0が選択され、コントラストが補正され、補正されたコントラストによって、表示が行われる。すなわち、コントラストＣ’は、Ｃに比べ小さな値であり、実際のパネル電流Ｉを抑制する。従って、この場合には、表示画素における最大輝度は抑制される。
【００４４】
すなわち、計算によるパネル電流Ical≦Icalxの場合には、実際のパネル電流Ｉは、１フレームの画素数をＮとすれば、
【００４５】
Ｉ＝（Ｃ・Ｄframe＋Ｂ・Ｎ）／（ｋ・Ｅ）
であり、Ical＞Icalxの場合には、
Ｉ＝（C'0・Ｄframe＋Ｂ’・Ｎ）／（ｋ・Ｅ）
となる。なお、図５の例では、Ｂ’＝Ｂである。
【００４６】
ここで、コントラスト／ブライトネス係数補正回路２２における補正コントラストC'0の算出について、説明する。コントラスト／ブライトネス係数補正回路２２では次式を用いて演算を行う。
【００４７】
C'0＝C−(C＋B／(k・Lw0）−a)・(Ical−Icalx)／(Imax−Icalx)  （１）
ここで、C：コントラスト設定値、B：ブライトネス設定値、Lw0：初期設定時（C＝１、Ｂ＝０）の最大輝度、a ：全面白を表示しパネルの電流がImaxとなる時の輝度／Lw0、Ical：元の画像データ値からリニア換算したパネルの電流、Imax：パネルに流す最大電流、Icalx：最大輝度が低下し始める点におけるIcalの値であり任意に設定可能な値、ｋ：ガンマ補正入力データ／輝度である。
【００４８】
図６（ａ）に示すように、パネル電流Ｉは、ブライトネスＢによりシフトしている。また、計算により求めたパネル電流Ical＝Icalxの場合、Ical−Icalx＝０となり、Ｃ’＝Ｃであり、パネル電流Iの制御開始時点におけるコントラストＣ’は、それまでのコントラストＣに一致する。特性ｍの場合は、Ｃ＝１，Ｂ＝０，ａ＝１であり、Ｃ’＝C＝1となり、何ら補正は行われない。
【００４９】
また、Ｂ＝０と仮定した場合には、Icalxを超えた場合には、Imaxに至るまで、（Ｃ−ａ）を分配してコントラストＣから減算していき、Ical＝ImaxにおいてC'0＝ａとなり、このときの実際に流れるパネル電流ＩもＩ＝Imaxとなる。ブライトネスＢについても計算によるパネル電流Ical＝IcalxからIcal＝Imaxの期間で、分配し、Ical＝Imaxとなった時に、実際のパネル電流Ｉ＝Imaxとなるようにしている。
【００５０】
このように、元の画像データ値からリニア換算したパネルの電流Icalと、実際のパネルの電流Iとの関係は図６(a)のようになる。例えば、特性ｑのIcal-I特性を持つようにC、B、Icalxを設定した場合には、図６(b)の様なパネル電流対最大輝度の特性が得られる。パネル電流ＩがIcalxに対応する電流Ｉxを超えると、最大輝度が定数ａに従って低下する。
【００５１】
ここで、この最大輝度の低下率は、q1、q2、q3のように発光効率によって異なり、ａ＝ａ１，ａ＝ａ２，ａ＝ａ３となっている。すなわち、パネル毎に発光効率のバラツキがあっても、パネルの最大消費電流を変えずに、平均輝度が低い範囲での最大輝度を同一にすることができる。従って、パネルの効率のバラツキがあっても、出荷時にａを調整することで、セット毎の最大消費電流のバラツキを抑えることができる。
【００５２】
ここで、このａの値の他、C'0の算出に必要なLw0、Icalxなどは、工場において、コントラスト／ブライトネス係数補正回路２２内等、装置内部に設けられた不揮発性メモリに記憶しておく。これによって、使用時に上述の計算が可能になる。また、Ｉの計算に必要なＥｒ、Ｅｇ、Ｅｂについても同様に不揮発性メモリに記憶しておく。なお、ｋについてはガンマ補正回路１４において記憶された値を利用すればよい。なお、このような設定値の一部または全部を使用時の電流や輝度計測値に基づき、自動的に算出し、計算により求めるように構成することもできる。
【００５３】
なお、パネル電流が小さい時の最大輝度は、コントラストおよびブライトネスの設定値により決定され、その時の輝度がx・Lw0である。
【００５４】
また、１００％輝度がａ・Ｌｗ０以下になるようにコントラストおよびブライトネスを設定した時は、電流の値によらず最大輝度は一定となる。
【００５５】
なお、Icalxは、任意に設定可能であるが、Ｃ、Ｂを最大値に設定した時に、そのときの実際のパネル電流IxがImax以下となるように設定することが好ましい。
【００５６】
ＲＧＢの画素をそれぞれ別の信号源で駆動しカラー表示するパネルの場合には、一般にＲＧＢ各色の発光効率Er、Eg、Ebは色毎に異なるので、ＯＬＥＤパネル１８の総電流Iは以下の式で計算する。
【００５７】
I＝Ｒframe／Er＋Ｇframe／Eg＋Ｂframe／Eb    （２）
ここで、Ｒframe：1フレーム分のＲ画素のデータの総和、Ｇframe：1フレーム分のＧ画素のデータの総和、Ｂframe：1フレーム分のＢ画素のデータの総和、Er：Rの輝度／Rの１画素に流れる電流、Eg：Ｇの輝度／Ｇの１画素に流れる電流、Eb：Ｂの輝度／Ｂの１画素に流れる電流である。
【００５８】
このように、本実施形態によれば、入力されてくる画像データに基づいて、ＯＬＥＤパネル１８における１フレーム分の総電流を予測し、予測されたパネル総電流値Icalが予め設定された値Icalxに至るまでは、コントラストＣについて補正は行わずそのまま設定値Ｃを用いる。
【００５９】
一方、パネル総電流Icalが所定値を超える場合には、コントラストＣについて補正を加え、計算による総電流Icalが許容最大電流Imaxとなった時の実際に流れるパネル電流ＩがImaxとなるように、パネル総電流Icalの大きさに従って、補正コントラスト値Ｃ’を変化させて、実際のパネル電流ＩがImaxを超えないように制御する。
【００６０】
すなわち、パネル電流が予め設定した値を超えないようにし、かつ画質の低下を最小限に抑えてコントラストおよびブライトネスを変更することができる。
【００６１】
なお、上述の実施形態では、加算器１２に供給するブライトネスＢについては、何ら補正せず、コントラストＣの補正の際にブライトネスＢを考慮した。しかし、このＢについても、直接訂正することも好適である。例えば、Ical＝IcalxからIcal＝Imaxまでの間、Ｂが連続的にゼロになるよう分配し、コントラストＣ’の算出からは、Ｂの項を削除してもよい。すなわち、上述の式（１）における(C＋B／(k・Lw0)）の項について、ＢからＢ’の換算に含めてもよい。さらに、コントラストＣをそのままにして、この調整をＢからＢ’への換算に含めることも可能である。
【００６２】
【発明の効果】
以上説明したように、本発明によれば、設定されたコントラストまたはブライトネスを予測されたパネル電流に基づき補正する。これによって、パネル電流を所定値以下に抑制することができる。
【図面の簡単な説明】
【図１】  画素回路の構成を示す図である。
【図２】  入力電圧と輝度の関係を示す図である。
【図３】  実施形態の構成を示す図である。
【図４】  （ａ）は、計算で求めたパネル電流Icalと、実際のパネル電流Ｉの関係を示す図であり、（ｂ）はパネル電流Ｉと最大輝度の関係を示す図である。
【図５】  コントラスト／ブライトネス補正回路の構成を示した図である。
【図６】  （ａ）は、計算で求めたパネル電流Icalと、実際のパネル電流Ｉの関係を示す図であり、（ｂ）はパネル電流Ｉと最大輝度の関係を示す図である。
【符号の説明】
１０  乗算器、１２  加算器、１４  ガンマ補正回路、１６  Ｄ／Ａ変換器、１８  ＯＬＥＤパネル、２０  パネル電流演算ブロック、２２  コントラスト／ブライトネス係数補正回路、２２ａ  判定部、２２ｂ  コントラスト演算部、２２ｃ  スイッチ。
【図１】
0004808913.tif 000002
【図２】
0004808913.tif 000003
【図３】
0004808913.tif 000004
【図４】
0004808913.tif 000005
【図５】
0004808913.tif 000006
【図６】
0004808913.tif 000007